【事件の表示】
　特願２００５−　４７５２７「手すり型シャワ装置」拒絶査定不服審判事件〔平成１８年　９月　７日出願公開、特開２００６−２３０６０７〕について、次のとおり審決する。
【結　論】
　本件審判の請求は、成り立たない。
【理　由】
１　手続の経緯 
　本件出願は、平成１７年２月２３日に特許出願がなされたものであって、平成２１年９月２９日に拒絶査定がなされ、これに対し、同年１１月２５日に拒絶査定に対する審判請求がなされたものである。
　その後、当審において、平成２２年１２月１４日付けで拒絶理由を通知したところ、平成２３年２月２日に意見書及び手続補正書が提出された。
　
２　本願発明
　本件出願の特許請求の範囲の請求項１及び２に係る発明は、平成２３年２月２日付け手続補正により補正された特許請求の範囲の請求項１及び２に記載された事項により特定されるとおりのものと認められ、そのうち請求項１に係る発明は次のとおりである。
「【請求項１】
　水配管および湯配管にそれぞれ連通する水導入口および湯導入口を有し、水導入口が湯導入口よりも上方に位置するよう上下方向に配置される中空の手すり体と、
　水配管からの水および湯配管からの湯を混合するよう前記手すり体の下部に設けられた混合手段と、
　この混合手段よりも下流側に設けられたシャワホースおよびシャワヘッドよりなるハンドシャワならびに前記手すり体の下流端部に接続される上シャワと、
　前記混合手段によって混合された湯水を、前記ハンドシャワに供給する状態または前記上シャワに供給する状態に切替える切替手段とを備えた手すり型シャワ装置であって、
　前記切替手段を、前記手すり体の下流端部と前記手すり体の前記水導入口との間で、かつ前記手すり体の下流端部寄りに設け、
　前記混合手段は、前記ハンドシャワまたは上シャワから吐出させる湯水の温度を設定するための温度設定手段と、この温度設定手段により設定した温度に対応した湯水の混合を行わせるための自動温度調節機能を有する温度調整ユニットとを備えており、
　前記温度調整ユニットは、前記手すり体の上流端部に形成された開口から前記手すり体の下部内に嵌込可能であり、かつ、前記水配管からの水および前記湯配管からの湯を混合するための混合室が形成されている弁体／サーモエレメント収納用ケースを有する一方、
　前記手すり体は、
　前記切替手段を介して前記ハンドシャワに連通するよう、または、前記切替手段を介して前記上シャワに連通するよう、前記混合室から前記水導入口を横切り前記切替手段に向かう湯水供給流路を内部に有するとともに、
　前記湯水供給流路から手すり体表面に熱が伝わるのを防止するため前記湯水供給流路の一部を覆う横断面が環状の水導入路を内部に有し、
　また、前記上シャワは、シャワ散水口を有するシャワ板と、前記手すり体の外径よりも小さい外径を有し、前記シャワ散水口と前記湯水供給流路を連通させる中空のバーとよりなり、
　さらに、
　手すり型シャワ装置を壁面に設置するため前記中空のバーに設けた上下一対の手すり型シャワ装置取り付け部材を有することを特徴とする手すり型シャワ装置。」（以下、請求項１に係る発明を「本願発明」という。）
 　　 
３　引用刊行物
　当審における拒絶の理由で引用され、本願出願前に頒布された刊行物は、次のとおりである。
　刊行物１：特開２００３−５６０２１号公報
　刊行物２：特開２００３−２３０４９５号公報
　刊行物３：特開２００３−７０６７０号公報
　刊行物４：実願平１−２２８８６号（実開平２−１１２７５８号）のマイクロフィルム
　
（１）上記刊行物１には、以下の記載が認められる（下線は当審付与）。 
（１ａ）「【請求項１】　水栓本体を筒状に形成して手すりに兼用させてあることを特徴とする手すり型水栓。
【請求項２】　筒状の水栓本体内に温度調整手段が組み込まれて給湯温度の調整が行われるとともに、前記
水栓本体をストレートに横方向に長くして手すりとして機能するよう構成してある
【請求項３】　前記水栓本体は、湯配管および水配管に連通する湯接続口および水接続口をそれぞれ有するとともに、水、湯、または混合水の吐水管接続口および／またはシャワーホース接続口を有し、浴室、シャワルーム等の壁に設置されている請求項１または請求項２に記載の手すり型水栓。」
（１ｂ）「【０００８】図１、図２は、浴室の洗い場に位置する壁に横置き状態で設置して手すりに兼用できるように構成したこの発明の第１の実施形態を示す。
【０００９】・・・
【００１０】前記水栓２の水栓本体３は、筒状で、この実施形態では大径部４と小径部５よりなる。水栓本体３は、金属製で、
小径部５の背面側に、湯配管６に連通する湯接続口７を有するとともに、大径部４の背面側に、水配管８に連通する水接続口９を有する。
【００１１】また、前記水栓本体３には、一端に、水、湯、または混合水の吐出状態と止水状態を切り替えるための切替ハンドル１２が設けられる一方、他端に、混合水の自動温度調節を行うための温調ハンドル１３が設けられている。
【００１２】前記
切替ハンドル１２は、その操作により、流量調節可能に、かつ水、湯、または混合水を、吐水管（図示せず）またはシャワーホース（図示せず）に切り替えて供給する
【００１３】更に、前記水栓本体３内には、切替ハンドル１２と接続可能な切替ユニット１４と、温調ハンドル１３と接続可能な温調ユニット１５とが装入されている。」
（１ｃ）「【００１５】また、
前記温調ユニット１５は、サーモワックスを内蔵したサーモエレメント２５とピストン２６を具備し、そのサーモエレメント２５が混合水の温度を感温するとサーモワックスが膨張してピストン２６を押し出し、サーモバルブ本体３２の位置を変化させることにより、給水側通路２７と給湯側通路２８のすき間が調整されるようになっており、温調ハンドル１３によって混合水の温度を任意に設定する
（１ｄ）「【００１８】以下、この発明の特徴的構成について説明する。１６は、筒状の水栓本体３の内部に設けた接続管で、切替ユニット１４の端部１４ａと温調ユニット１５の端部１５ａとを接続する。すなわち、
水栓２は、水栓本体３（外管）と接続管１６（内管）の二重管構造を有し、両者３，１６間に、切替ユニット１４側から温調ユニット１５側に水を導入する環状の水導入路ｊが構成される。外管としての前記水栓本体３はこの水導入路ｊによって、混合水、水、または、湯を供給する供給流路ｉ（後述する）と断熱され、熱くなることはない。
【００１９】そして、内管としての前記接続管１６は、前記湯水混合室Ｓの一部を構成するとともに、接続管１６によって温調ユニット１５側から切替ユニット１４側の前記弁機構２３，２４に混合水、水、または、湯を供給する供給流路ｉが形成される。」
（１ｅ）「【００３０】図３、図４は、
中央部に設けた手すりＴを含む筒状の水栓本体３をの外径を３４ｍｍに設定してあるこの発明の第２の実施形態
【００３１】この実施形態では水栓本体３を、正面向かって左側に位置する温調ユニット部４５と、正面向かって右側に位置する切替ユニット部４６と、両部４５，４６の中間に位置する手すりＴとより構成するとともに、温調ユニット部４５のみならず切替ユニット部４６の外径を手すりＴと略同一の３４ｍｍになるよう構成してある。・・・」
（１ｆ）「【００３２】図５、図６は、水栓本体５１を縦部分５２と横部分５３よりなるＬ字型に形成し、縦部分５２と横部分５３をそれぞれ手すりとして機能するよう構成してあるこの発明の第３の実施形態を示す。なお、図５、図６において、図１〜図４に示す符号と同一のものは同一または相当物である。」
（１ｇ）「【００４６】図９〜図１３は、上記第２の実施形態の詳細を示す。すなわち、浴室、シャワルームで使用する水栓本体３の中央部を規格に合った３４ｍｍの握り径（外径）ｒを有する手すりＴに兼用させるとともに、切替ユニット１４が位置する水栓本体３の部分と手すりＴを面一にするために、上記第１の実施形態で用いた前記弁機構２３，２４（図１参照）に替えて、水栓本体３の軸方向のまわりに回動して吐水管接続口１０またはシャワーホース接続口１１に切替え可能に連通する筒状の回動部材を備えた弁機構を用いたこの発明の第６の実施形態を示す。なお、図９〜図１３において、図１〜図８に示す符号と同一のものは同一または相当物である。
【００４７】図９〜図１３において、接続管１６は、筒状の水栓本体３の内部に設けられており、切替ユニット１４と温調ユニット１５とを接続する。水栓本体３は、接続管１６を内蔵した水栓本体部分３Ｃと、切替ユニット１４を内蔵した水栓本体部分３Ａと、温調ユニット１５を内蔵した水栓本体部分３Ｂとよりなる。・・・」
（１ｈ）「【００５０】一方、
温調ユニット１５のサーモエレメント２５は、水栓本体部分３Ｂに内蔵されている外ケース９１内に固定設置されている
（１ｉ）図１１には、温調ユニット１５のサーモエレメント２５の周囲には、通水側通路２７からの水と給湯側通路２８からの湯とを混合するための混合室が形成されることが示され、図９には、ピストン２６、サーモエレメント２５及びサーモバルブ本体３２は、水栓本体３に内蔵されている外ケース９１内に設置されることが示されている。
（１ｊ）図１３には、外ケース９１は、水栓本体部分３Ｂの上流側端部に形成された開口から、水栓本体内部に嵌合されることが示されている。　
　
　刊行物１記載の手すり型水栓において、湯水混合水は，温調ユニット１５側から切替ユニット１４側へ流れるものであり、温調ユニット１５は，水栓本体３の上流側端部、切替ユニット１４は下流側端部に設置されているといえる。
　
　したがって、上記の記載事項及び図面の記載によれば、刊行物１には、以下の発明が記載されていると認められる。 
「水配管８および湯配管６にそれぞれ連通する水接続口９および湯接続口７を有し、湯接続口７が一端側に、水接続口９が他端側に位置するよう横方向に長く配置される筒状の手すり兼用の水栓本体３と、
　水配管８からの水および湯配管６からの湯を混合するよう前記水栓本体３の上流側端部に設けられた温調ハンドル１３及び温調ユニット１５と、
　この温調ハンドル１３及び温調ユニット１５よりも下流側に接続された、吐水管と、シャワーホースおよびシャワヘッドよりなるハンドシャワーと、
　前記温調ハンドル１３及び温調ユニット１５によって混合された混合水を、吐水管に供給する状態または、シャワーホースに供給する状態に切替える切替ハンドル１２とを備えた手すり型水栓であって、
　切替ハンドル１２を、前記手すり兼用の水栓本体３の下流側端部に設け、該切替ハンドル１２と接続可能な切替ユニット１４が水栓本体３内に装入されており、
　前記温調ハンドル１３は、前記ハンドシャワーまたは吐水管から吐出させる湯水の温度を設定するためのものであり、
　温調ユニット１５は、この温調ハンドル１３により設定した温度に対応した湯水の混合を行わせるためのもので、サーモワックス内蔵のサーモエレメント２５とピストン２６を具備するとともに、ピストン２６により位置が変化させられて、湯水の混合割合を調整するサーモバルブ本体３２を有し、
　さらに、温調ユニット１５は、サーモエレメント２５の周囲に、前記水配管８および前記湯配管６からの湯を混合するための混合室が形成され、ピストン２６、サーモエレメント２５及びサーモバルブ本体３２は、外ケース９１内に固定設置されて、水栓本体の部分３Ｂの上流端部に形成された開口から前記水栓本体部分３Ｂの上流部内に嵌込され、
　前記切替ユニット１４の端部１４ａと温調ユニット１５の端部１５ａとが、水栓本体３内部において、接続管１６により接続されて、外管である水栓本体３と内管である接続管１６との二重管構造を有しており、
　前記接続管１６は、温調ユニット１５側から切替ユニット１４側に混合水を供給する供給流路ｉを内部に有し、
　湯接続口７は、温調ユニット１５の近傍に設けられ、水接続口９は、湯接続口７から離れた切替ユニット１４の近傍に設けられ、水栓本体３と接続管１６間には、切替ユニット１４側から温調ユニット１５側に水を導入する環状の水導入路ｊが構成され、この水導入路ｊによって、水栓本体３は供給流路ｉと断熱されている、
　浴室、シャワルーム等の壁に設置される手すり型水栓。」（以下、「刊行物１記載の発明」という。）　
　
　本願出願前に頒布された上記刊行物２には、図面とともに、以下の記載がある。
（２ａ）「【００１４】
【発明の実施の形態】・・・図１に本発明のシャワー装置１の外観図を示す。
このシャワー装置１は、上下方向に伸び延設する１本のパイプ６に対して、湯水混合部７と複数の吐水部を備えている。
吐水部は、カラン２とハンドシャワーノズル３とヘッドシャワーノズル４から構成されている。
（２ｂ）「【００１５】図３のシャワー装置１においては、吐水部は、ボディシャワーノズル５とハンドシャワーノズル３とヘッドシャワーノズル４から構成されている。そして、湯水混合部７の上方に吐水部は位置するように構成されている。・・・
【００１６】次に、図４は、給水管と給湯管の接続部１７、１８から流れてきた湯水が湯水混合部７で適温に混合されて、この湯水混合部７から各吐水部までの通水経路を示している。図４では、壁から給水管と給湯管を室内に取込んだ場合を示しているが、床から給水管と給湯管を立ち上げた場合も同様である。まず、給水管と給湯管の接続部１７、１８から供給された湯水は、湯水混合部７で混合される。また、この湯水混合部７の下方に隣接して配置した温度調整ハンドル８を周方向に回転させて湯温を調整する。」
（２ｃ）「【００２１】次に、ハンドシャワーノズル３とヘッドシャワーノズル４からの吐水について説明する。図１乃至３に示すように、
ハンドシャワーノズル３とヘッドシャワーノズル４は、切替えハンドル１１にて切り替える可能としている。
（２ｄ）「【００２３】一方、ヘッドシャワーノズル４は、シャワー装置１本体のパイプ６の上端に設けられいる。なお、このヘッドシャワーノズル４は、パイプ６に対して、回転自在に配置してもよい。また、ヘッドシャワーノズル４は、内部に大きく３つの吐水群１５を配置しており、この吐水群１５は、すべて同じ吐水形態としても、また、すべて異なる吐水形態としてもよい。」
（２ｅ）「【００２６】次に、このシャワー装置１の固定構造について説明する。
シャワー装置１本体のパイプ６は、上方と湯水混合部７で固定部１６により固定している。上方の固定部１６は、分岐金具１２よりも上方として、壁に固定している。
　
　本願出願前に頒布された上記刊行物３には、図面とともに、以下の記載がある。
（３ａ）「【請求項１】　既設の湯水混合栓に設けたハンドシャワーノズル用ホースの接続部に、
配管部を室内側に露出させて上方に延設して接続し、かつ、この配管部の他端部にシャワー散水部を取付けてなる
【請求項２】　前記シャワー散水部は、固定シャワーノズルであり、かつ、前記配管部の途中に切替えハンドルを有するシャワー分岐部を設け、このシャワー分岐部にハンドシャワーノズル用ホースを接続して、切替ハンドルの操作にて、固定シャワーノズルからの散水とハンドシャワーノズルからの散水を選択できるようにしたことを特徴とする後付けシャワー装置。
【請求項３】　前記
配管部を手すりとした
（３ｂ）「【００１７】・・・図１は本発明の後付けシャワー装置１である。既設の湯水混合栓４のハンドシャワーノズル用ホース接続部２０に固定シャワーノズル２へ湯水を配送する配管部３を室内側に露出して配置している。そして、この配管部３の途中にシャワー分岐部５を設けこのシャワー分岐部５にハンドシャワーノズル用のホース７を接続している。このシャワー分岐部５には、切替ハンドル１３が設けられており、固定シャワーノズル２への通水とハンドシャワーノズル８への通水の切替ができるようになっている。なお、湯水混合栓４にはカランへの通水と固定シャワーノズル２もしくはハンドシャワーノズル８への通水の切替えを行うとともにその流量を調整する切替ハンドル２１が設けられている。また、
この配管部３は、シャワー分岐部５よりも上側で壁つなぎ部材６を用いて、固定されている。
（３ｃ）「【００１８】また、
配管部３を、手すりとして利用することも可能である。
　
　本願出願前に頒布された上記刊行物４には、図面とともに、以下の記載がある。 
（４ａ）「第１図に示すように、浴室内壁面の下部には混合水栓７が設けられており、混合水栓７は背面のソケット８，９を介して浴室外に配管された給湯元管及び水道管（いずれも図示せず）に接続されている。混合水栓７は、側部に設けられた温度調整つまみ１１を回すことによって給湯温度を調整でき、さらに内部には湯温制御用のサーモエレメントが内蔵されていて一定温度の湯を供給できるようになっている。この混合水栓７からは、蛇管６とトップシャワーヘッド５とハンドシャワーヘッド４に給湯するようになっている。・・・
　混合水栓７の上方では、・・・浴室内壁面に切り替えボックス１３が固定されており、混合水栓７と切り替えボックス１３との間は給湯管１２によって接続されている。・・・切り替えボックス１３は、トップシャワーヘッド５とハンドシャワーヘッド４との間で給湯方向を切り替えるものであり、混合水栓７の上方に配設されたトップシャワーヘッド５の湾曲パイプ２１と切り替えボックス１３の間は給湯管１によって接続されており、」（明細書６頁１７行〜８頁３行）
（４ｂ）「また、第２図及び第３図に示すように、混合水栓７とトップシャワーヘッド５との間で給湯管１の外周にはスライドハンガー保持パイプ２が外挿されていて給湯管１とスライドハンガー保持パイプ２とは２重構造となっており、
スライドハンガー保持パイプ２の上端部はパイプ固定金具２０によって浴室内壁面に固定されている
（４ｃ）「・・・
スライドハンガー保持パイプ２はちょうど立った姿勢で手の届き易いところにあり、握りバーとして使用するのに好適である。
（４ｄ）第１図には、トップシャワーヘッド５の湾曲パイプ２１は、握りバーとして使用するスライドハンガー保持パイプ２より小径であること、が記載されている。
　　　　　　　　　
４　対比 
　本願発明と上記刊行物１記載の発明とを対比する。
　刊行物１記載の発明の「水接続口９」は、本願発明の「水導入口」に相当し、以下、同様に「湯接続口７」は、「湯導入口」に、
「筒状」は、「中空」に、
「水栓本体３」は、「手すり体」に、
「混合水」は、「（混合された）湯水」に、
「供給流路ｉ」は、「湯水供給流路」に、
「手すり型水栓」は、「手すり型シャワ装置」に相当する。
　刊行物１記載の発明の「切替ハンドル１２及び切替ユニット１４」は、合わせて、本願発明の「切替手段」に相当する。
　刊行物１記載の発明の「温調ハンドル１３及び温調ユニット１５」は、合わせて、本願発明の「混合手段」に相当し、さらに、「温調ハンドル１３」は「温度設定手段」に、「温調ユニット１５」は「温度調整ユニット」に、「サーモバルブ本体３２」は「弁体」に相当し、刊行物１記載の「温調ユニット１５」は、サーモエレメント２５が混合水の温度を感温するとサーモバルブ本体３２の位置を変化させて給水側通路２７と給湯側通路２８のすき間を調整するものであるから、自動温度調節機能を有しているといえる。
　また、刊行物１記載の発明において、「水栓本体３は供給流路ｉと断熱されている」から、「湯水供給流路から手すり体表面に熱が伝わるのを防止」しているということができ、また、「環状の水導入路」は、湯水供給流路を覆うものといえる。
　さらに、刊行物１記載の発明と、本願発明の「水導入口（水接続口９）」及び「湯導入口（湯接続口７）」の配置は、いずれも「水導入口が湯導入口から、手すりの長手方向に離れた位置に配置」された点で共通し、
　刊行物１記載の発明と本願発明の「混合手段（温調ハンドル１３及び温調ユニット１５）」の配置は、いずれも「手すり体の上流側端部」である点で共通し、
　刊行物１記載の発明の「吐水管」と、本願発明「上シャワ」とは、「ハンドシャワ以外の吐水部」である点で共通する。
　
　したがって、両者は、次の点で一致する。
「水配管および湯配管にそれぞれ連通する水導入口および湯導入口を有し、水導入口が湯導入口から、手すりの長手方向に離れた位置に配置される中空の手すり体と、
　水配管からの水および湯配管からの湯を混合するよう前記手すり体の上流側端部に設けられた混合手段と、
　この混合手段よりも下流側に設けられたシャワホースおよびシャワヘッドよりなるハンドシャワならびにハンドシャワ以外の吐水部と、
　前記混合手段によって混合された湯水を、前記ハンドシャワに供給する状態または前記ハンドシャワ以外の吐水部に供給する状態に切替える切替手段とを備えた手すり型シャワ装置であって、
　切替手段を、前記手すり体の下流端部側に設け、
　前記混合手段は、前記ハンドシャワまたはハンドシャワ以外の吐水部から吐出させる湯水の温度を設定するための温度設定手段と、
　前記温度設定手段により設定した温度に対応した湯水の混合を行わせるための自動温度調節機能を有する温度調整ユニットとを備えており、
　前記温度調整ユニットは、前記手すり体の上流端部に形成された開口から前記手すり体の上流部内に嵌込可能であり、かつ、前記水配管からの水および前記湯配管からの湯を混合するための混合室が形成されている弁体／サーモエレメント収納用ケースを有する一方、
　前記手すり体は、
　前記切替手段を介して前記ハンドシャワに連通するよう、または、前記切替手段を介して前記ハンドシャワ以外の吐水部に連通するよう、前記混合室から前記切替手段に向かう湯水供給流路を内部に有するとともに、
　前記湯水供給流路から手すり体表面に熱が伝わるのを防止するため前記湯水供給流路を覆う横断面が環状の水導入路を内部に有する手すり型シャワ装置。」
　
　また、両者は、次の点で相違する。　
［相違点１］　 
　本願発明は、「手すり体」が「水導入口が湯導入口よりも上方に位置するよう上下方向に配置され」たものであり、「ハンドシャワ以外の吐水部」が「上シャワ」であって、「切替手段」を、「手すり体の下流端部と前記手すり体の水導入口との間で、かつ前記手すり体の下流端部寄り」に設けたものであり、「環状の水導入路」が「湯水供給流路の一部を覆う」ものであるのに対し、
　刊行物１記載の発明は、「手すり体」が横方向に配置されたものであり、「ハンドシャワ以外の吐水部」は、「吐水管」であり、「切替手段」を、水栓本体３の下流端部に設けたものであって、「環状の水導入路」が湯水供給流路全体を覆っている点。
［相違点２］
　相違点１に関連して、本願発明は、「上シャワ」が、「シャワ散水口を有するシャワ板と、手すり体の外径よりも小さい外径を有し、前記シャワ散水口と湯水供給流路を連通させる中空のバーよりなる」ものであり、「手すり型シャワ装置を壁面に設置するため前記中空のバーに設けた上下一対の手すり型シャワ装置取り付け部材を有する」ものであるのに対し、刊行物１記載の発明は、このような上シャワを有していない点。
　
５　判断 
（１）相違点１について
　刊行物２には、上下方向に配置された湯水供給用のパイプの上方にハンドシャワ（ハンドシャワーノズル３）と上シャワ（ヘッドシャワーノズル４）とを設置し、パイプの下方に温度調節手段を設け、ハンドシャワと上シャワは、湯水供給管の上方に設けた切替えハンドル１１にて切り替え可能としたシャワー装置が記載されている。
　また、刊行物３、４には、上下方向に配置された湯水供給管の上方にハンドシャワと上シャワ（刊行物３の固定用シャワーノズル、刊行物４のトップシャワ）を配置したものにおいて、上下方向に配置された湯水供給管の部分を手すり体（刊行物３の手すり、刊行物４の握りバー）として使用することが記載され、刊行物３には、該手すり体の上部に切替手段（刊行物３の切替ハンドル１３）を設けることが記載されている。
　すなわち、上下方向に配置された湯水供給用のパイプの上方にハンドシャワと上シャワを設けるシャワ装置及び、このようなシャワ装置の湯水供給用のパイプを手すりとして利用することは、本願出願前公知であったと認められる。
　そして、刊行物１には、手すり体をＬ字状として上下方向の手すりを設けることも記載されており（記載事項（１ｆ）参照）、刊行物１記載の発明を、刊行物２に記載されているような、上下方向に配置されたパイプの上方にハンドシャワと上シャワを設けるシャワー装置に適用し、手すり体を、水導入口が湯導入口よりも上方に位置するよう上下方向に配置されたものとすることは、当業者が容易に想到しうることである。
　さらに「切替手段」の位置について検討すると、上シャワは通常立って使用するから、刊行物２ないし４に記載されているように立って操作するのに適した位置、すなわち水導入口及び湯導入口よりも上方に設けることは普通のことである。
　そして、手すり体の湯水供給流路と中空のバーからなる上シャワへの湯水供給用の通路のうちどの高さまでを手すり体部分とするかは、当業者が適宜決めうることであり、手すり体の下流端部を切替手段の上部に設け、「切替手段」が「手すり体の下流端部と前記手すり体の水導入口との間で、かつ手すり体の下流端部寄り」になるようにすることは、当業者が適宜設計しうることである。
　また、このように設計すると、必然的に、環状の水導入路は、混合手段から手すり体の下流端部に至る湯水供給流路のうち、水導入口より上流側、すなわち湯水供給流路の一部を覆うものとなる。
　
（２）相違点２について
　刊行物２ないし４に記載されている上シャワが、シャワ散水口を有するシャワ板と、シャワ散水口と湯水供給流路を連通させる中空のバーを有していることは明らかであり、刊行物１記載の発明に刊行物２に記載の発明を適用し、手すり体を上下方向に配置されたものとして上シャワを設ける際に、上シャワをこのような構造のものとすることは当業者が容易になしうることである。
　ここで、中空のバーの径についてみると、手すりの外径を握りやすい太さにすることは当業者が当然に考慮すべきことであり、一方、上シャワを設けるに際し、中空バーは内径が湯水供給に必要な太さであればよく、例えば、刊行物４には、握りバー部分は、スライドハンガー保持パイプ２を設けて太くし、トップシャワの湾曲パイプ２１（本願発明の中空バーに相当する）を、スライドハンガー保持パイプ２より小径とすることが記載されており（記載事項（４ｄ）参照）、手すり体外径を大きくし、中空バーの外径を手すり体外径よりも小径のものとすることは当業者が適宜なしうることである。
　また、シャワ装置取り付け部材について検討すると、刊行物２ないし４には、シャワ装置を壁面に固定するために、上シャワに湯水を供給する中空のパイプの切替手段より上方に、シャワ装置取り付け部材を設けることが記載されており、刊行物１記載の発明を、刊行物２に記載されているようなシャワー装置に適用するに際し、上シャワに湯水を供給する中空のバーにシャワ装置取り付け部材を設けることは、刊行物２ないし４記載の発明に基いて当業者が容易になしうることであり、シャワ装置取り付け部材を上下一対設けることも適宜なし得る程度のことである。
　なお、請求人は、平成２３年２月２日受付けの意見書において、刊行物２ないし４記載のシャワ装置取り付け部材は、手すり体に設けたものであって中空のバーに設けたものではない旨主張するが、上記（１）で述べたとおり、上シャワへの湯水供給用の通路のうちどの高さまでを手すり体部分とするかは、当業者が適宜決めうることであり、手すり体を上シャワ近傍までの長尺のものとして、シャワ装置取り付け部材を切替手段の上方の手すり体に設けるか、手すり体を切替手段の近傍までものとして、シャワ装置取り付け部材を手すり体に接続される中空バーに設けるかは、適宜選択しうる程度のことである。
　
（３）作用効果及び判断のむすび
　そして、本願発明の作用効果は、刊行物１ないし４記載の発明から予測できる程度のことである。　
　なお、手すりは、水配管および湯配管によっても壁面に支持されているものであり、特に中空のバーの取り付け部材を上下一対としたことによる支持効果が格別顕著なものとはいえない。
　したがって、本願発明は、刊行物１ないし４記載の発明に基づいて当業者が容易に発明をすることができたものである。
　
６　むすび
　以上のとおり、本願発明は、刊行物１ないし４記載の発明に基づいて当業者が容易に発明をすることができたものであり、特許法第２９条第２項の規定により特許を受けることができないものであるから、本願の他の請求項に係る発明について検討するまでもなく、本願は拒絶すべきものである。
　よって、結論のとおり審決する。